(57)【要約】【課題】比較的処理が簡易で、且つ、画像ボケと色付き低減の両立ができる画像表示装置と画像表示方法と記憶媒体を提供することを目的とする。【解決手段】複数の基本色をそれぞれ発光する発光素子（サブピクセル）から各画素が構成される表示手段と、画素毎に画像データを受け取り、これを前記サブピクセル単位に分解し前記表示手段のサブピクセルに出力するサブピクセルレンダリング手段とからなる画像表示装置であって、前記画像データより、画像の特定の特徴を検出しその検出量を出力する特徴量検出手段と、前記特徴量検出手段の出力は前記サブピクセルレンダリング手段に入力されレンダリング量またはレンダリング方法が制御されるようになされたことを特徴とする。【選択図】図１
2006078833.tif 000002
【特許請求の範囲】
【請求項１】
複数の基本色をそれぞれ発光する発光素子（サブピクセル）から各画素が構成される表示手段と、画素毎に画像データを受け取りこれを前記サブピクセル単位に分解し前記表示手段のサブピクセルに出力するサブピクセルレンダリング手段とからなる画像表示装置であって、
前記画像データより画像の特定の特徴を検出しその検出量を出力する特徴量検出手段と前記特徴量検出手段の出力は、前記サブピクセルレンダリング手段に入力され、レンダリング量またはレンダリング方法が制御されるようになされたことを特徴とする画像表示装置。
【請求項２】
前記特徴量検出手段は、画像の高周波成分が連続する範囲の境界を検出することを特徴とする請求項１記載の画像表示装置。
【請求項３】
複数の基本色をそれぞれ発光する発光素子（サブピクセル）から各画素が構成される表示手段に、画素毎に画像データを受け取りこれを前記サブピクセル単位に分解し前記表示手段のサブピクセルに出力する画像表示方法であって、
前記画像データより、画像の特定の特徴を検出する特徴量検出ステップと、前記特徴量検出手段の出力は前記サブピクセルレンダリング手段に入力されレンダリング量またはレンダリング方法が制御されるようになされたことを特徴とする画像表示装置。
【請求項４】
前記特徴量検出ステップは、画像の高周波成分が連続する範囲の境界を検出することを特徴とする請求項３記載の画像表示方法。
【請求項５】
請求項３または４に記載の画像表示方法を記憶した記憶媒体。
【発明の詳細な説明】
【技術分野】
【０００１】
本発明は、ＲＧＢ３原色等の基本色の発光素子を並設し１画素として表示する表示デバイス、例えばカラー液晶ディスプレイ、カラープラズマディスプレイ、有機ＥＬディスプレイ等の表示方法及び表示装置に関するものであり、特に動画像を表示するテレビやディスプレイ、プロジェクタ等に関するものである。
【背景技術】
【０００２】
ドットマトリクス型と呼ばれる表示デバイスにてカラー表示を行う場合、例えば、カラー液晶（ＬＣＤ）ディスプレイ、カラープラズマディスプレイ、カラー有機ＥＬパネル等では、ＲＧＢ３原色を基本色とし、それぞれの色で発光する３つの発光素子を一定の順序で並べて１画素としている。これらの発光素子は一般にサブピクセルと呼ばれている。
【０００３】
このような三種のサブピクセルによって１つの画素を構成するようにしたカラーディスプレイに色画像を表示する場合、通常、サブピクセルの位置ずれまでは考慮に入れずに表示する。その結果表現できる空間解像度が１画素の単位に制限され、デバイスの表現できる空間周波数以上の信号では折り返りが生じ、例えば斜め線がギザギザに表示されてしまう等の弊害が生じる。
【０００４】
そこで、各画素内のサブピクセルの配置を固定的なものと考えず、任意に配置した三種のサブピクセルをもって１つの画素と考えることにより、より高い空間解像度（正しくは空間位相の解像度）での表現が可能とした技術が既に提案されている。これにより、上記の斜め線での折り返りを低減し、より滑らかに表示することが可能となった。具体例として有名なところではマイクロソフト社からフォント表示の技術としてクリアタイプという名で商用ＯＳ搭載にされている。これらの技術は一般にサブピクセルレンダリングとよばれ、公知であるため詳細な説明は省略する。
【０００５】
しかし当技術では、滑らかなフォントや斜め線が得られる一方、例えばフォント等のエッジ部分に赤や青、黄色等の色づきが生じることが知られている。これら不具合を回避する為に種種の提案がなされている。上記した基本原理より、一般にはサブピクセルレンダリング前にＬＰＦ処理を施し折り返り分をあらかじめ取り除くことで折り返り部分に生じる色づきを押さえる方法が用いられている。
【０００６】
それ以外には例えば、前記した色付きの問題点の改善方法が提案されている（例えば、特許文献１、特許文献２参照）。
【０００７】
従来例として、上述した特許文献１に記載の内容を取り上げ具体的に図を用いて説明する。図４は本従来例の基本構成を示す図である。本図において、参照番号１は色画像表示装置全体を表す。この装置４１は、基本色を表す複数のサブピクセルにより各画像が構成される色画像を表示する表示手段、例えばカラー液晶ディスプレイ４４を含む。
【０００８】
原画像色知覚予測部４５は、記憶部４２に格納された原画像に変換を加えて得た、三次元の表色系で表された三次元表色系画像から、人が知覚するであろう色を予測する色知覚処理を行う。また表示画像色知覚予測部４６は、縮小画像Ｖを表示手段４４に表示したときに得られる画像に対して、上述した色知覚処理と同様の色知覚処理を行い、その画像から人が知覚するであろう色を予測する。さらにまた縮小画像最適化部４７は、原画像色知覚予測部５の予測結果と表示画像色知覚予測部４６の予測結果とを比較し、両者の差が最小となるように縮小画像Ｖに修正を加える。これにより前述した色ずれがなるべく人の目に目立たないようにすることができる。
【特許文献１】特開２００３−００６６３０号公報
【特許文献２】特開２００２−３５４２７７号公報
【発明の開示】
【発明が解決しようとする課題】
【０００９】
しかしながら、従来例として取り上げた例では処理が重たく動画像の表示にはコストがかかりすぎるという問題があった。また一般的に用いられるＬＰＦによる帯域制限では色付きをおさえると画像ボケが生じるため両者のトレードオフとなっていた。
【００１０】
本発明は、上記の問題に鑑みなされたものであって、比較的処理が簡易で、且つ、画像ボケと色付き低減の両立ができる画像表示装置と画像表示方法と記憶媒体を提供することを目的とする。
【課題を解決するための手段】
【００１１】
上記課題を解決するために本発明の画像表示装置は、複数の基本色をそれぞれ発光する発光素子（サブピクセル）から各画素が構成される表示手段と、画素毎に画像データを受け取りこれを前記サブピクセル単位に分解し前記表示手段のサブピクセルに出力するサブピクセルレンダリング手段とからなる画像表示装置であって、前記画像データより、画像の特定の特徴を検出しその検出量を出力する特徴量検出手段と、前記特徴量検出手段の出力は前記サブピクセルレンダリング手段に入力されレンダリング量またはレンダリング方法が制御されるようになされたことを特徴とするものである。
【００１２】
上記課題を解決するために本発明の画像表示方法は、複数の基本色をそれぞれ発光する発光素子（サブピクセル）から各画素が構成される表示手段に、画素毎に画像データを受け取りこれを前記サブピクセル単位に分解し前記表示手段のサブピクセルに出力する画像表示方法であって、前記画像データより、画像の特定の特徴を検出する特徴量検出ステップと、前記特徴量検出手段の出力は前記サブピクセルレンダリング手段に入力されレンダリング量またはレンダリング方法が制御されるようになされたことを特徴とするものである。
【００１３】
上記課題を解決するために本発明の記憶媒体は、複数の基本色をそれぞれ発光する発光素子（サブピクセル）から各画素が構成される表示手段に、画素毎に画像データを受け取りこれを前記サブピクセル単位に分解し前記表示手段のサブピクセルに出力する画像表示方法を格納した記憶媒体であって、前記画像データより、画像の特定の特徴を検出する特徴量検出ステップと、前記特徴量検出手段の出力は前記サブピクセルレンダリング手段に入力されレンダリング量またはレンダリング方法が制御されるようになされた方法を格納したことを特徴とするものである。
【００１４】
上記発明により、例えば画像の解像度が要求される部分等の検出を行う特徴量検出手段の結果に応じてサブピクセルレンダリング量またはレンダリング方法が適応的に切り替えられるため、比較的処理が簡易で、且つ、画像ボケと色付き低減の両立が可能な画像表示装置と画像表示方法と記憶媒体の提供をすることができる。
【発明の効果】
【００１５】
上記したように本発明によれば、簡単な構成の検出手段を用いサブピクセルレンダリング量や方法を制御するので、比較的処理が簡易で、且つ、画像ボケと色付き低減の両立が可能な画像表示装置と画像表示方法と記憶媒体を提供することが可能となる。
【発明を実施するための最良の形態】
【００１６】
（実施の形態１）
図１は本発明の第一の実施の形態における画像表示装置のブロック図である。図１において１は映像信号が入る入力端子であり、２は１画素がサブピクセルで構成されるカラー液晶パネルやカラーＰＤＰパネルなどの表示手段である。
【００１７】
３は画素毎に画像データを受け取り、これをサブピクセル単位に分解し表示手段２に出力するサブピクセルレンダリング手段である。またサブピクセルレンダリング手段は、受け取った制御値に応じてサブピクセルレンダリング方法や量を可変させることができるものとする。サブピクセルレンダリング方法の可変とは例えばサブピクセルレンダリング前に行う従来例で記載したＬＰＦでの帯域可変などであり、量の可変とは例えば図２で示したようにサブピクセルレンダリング結果とレンダリングを行わないスルーの系との混合割合を可変できるようにすることである。
【００１８】
４は入力画像のあらかじめ指定された特定の特徴を検出しその検出量を出力する特徴量検出手段である。あらかじめ指定された特定の特徴とは例えば、色付きの目立つ部分は画像エッジである為、その検出手段は画像のエッジを検出するＨＰＦ等である。
【００１９】
以上のように検出した結果を用いて、検出がある所のみサブピクセルレンダリングを行う。これは前述したように、あらかじめサブピクセルレンダリングを行った信号としていない信号を検出量に応じて混合比を変えることで可能である。
【００２０】
またはサブピクセルレンダリング手段ではあらかじめ補正量として計算しておけば、混合計算を行わなくても、補正量に検出結果を乗ずるのみでよいことは言うまでも無い。
【００２１】
（実施の形態２）
本実施の形態では特徴量検出手段４に図３で説明する検出手段を用いる。
【００２２】
本検出手段の基本的考え方は画像ボケを感じさせないようにする為、高周波が連続する部分は、サブピクセルレンダリングを行わないようにし、且つ、斜め線の滑らかさを残す為その高周波が連続する領域の境界部分や単一のエッジはサブピクセルレンダリングを行うように検出を行うものである。
【００２３】
図３において３１はエッジ検出を行うフィルタであり、ここでは連続した高周波特に１／２ｆｓ付近の感度を鈍くした１次微分のフィルタ、例えば着目画素の両端の差分を計算する。これにより色のつきやすく、ボケ感の生じやすい高周波を検出しなくなる。伝達関数で示すとＨ（ｚ）＝１−Ｚ−２で表現されるＨＰＦである。３２は絶対値を取り出す絶対値回路であり前記したエッジ検出３１の出力の絶対値を出力する。３３はＬＰＦであり、例えば伝達関数で示すとＨ（ｚ）＝（１＋２Ｚ−１＋Ｚ−２）／４で表現される。これにより前記検出結果が平滑化される。３４は最小値フィルタであり、特定期間例えば着目画素の前後１画素、計３画素における最小値や隣接画素の最小値等を出力する。これにより周波数の高く且つ孤立したエッジを取り除き、比較的周波数の低いエッジのみ取り出すことができる。
【００２４】
なお、特徴検出手段の検出例として具体的フィルタ係数についてあげているがこれ以外のものでもよいことは言うまでもなく、最小値フィルタ孤立点の除去が目的のため例えば画素間の乗算やＡＮＤなどでもよい。
【産業上の利用可能性】
【００２５】
本発明にかかる画像表示装置と画像表示方法と記憶媒体は、ＲＧＢ３原色等の基本色の発光素子を並設し１画素として表示する表示デバイス、例えばカラー液晶ディスプレイ、カラープラズマディスプレイ、有機ＥＬディスプレイ等、特に動画像を表示するテレビやディスプレイ、プロジェクタ等において有用である。
【図面の簡単な説明】
【００２６】
【図１】第１の実施の形態における画像表示装置のブロック図
【図２】第１の実施の形態における画像表示装置の他の一例のブロック図
【図３】第２の実施の形態における特徴量検出手段のブロック図
【図４】従来の画像表示装置のブロック図
【符号の説明】
【００２７】
１    映像信号入力端子
２    表示手段
３    サブピクセルレンダリング手段
４    特徴量検出手段
５    混合手段
３１    エッジ検出
３２    絶対値回路
３３    ＬＰＦ
３４    最小値フィルタ
４１    画像表示装置
４２    記憶部
４３    解像度変換部
４４    表示手段（カラー液晶ディスプレイ）
４５    原画像色知覚予測部
４６    表示画像色知覚予測部
４７    縮小画像最適化部
【図１】
2006078833.tif 000003
【図２】
2006078833.tif 000004
【図３】
2006078833.tif 000005
【図４】
2006078833.tif 000006